(57)【特許請求の範囲】
【請求項１】
バッテリー駆動される画像形成装置であって、
ページ単位のファクシミリデータを受信する受信部と、
前記受信部で受信したファクシミリデータを記憶する記憶部と、
前記記憶部に記憶されている受信完了したページのファクシミリデータを印刷する印刷部と、
前記バッテリーの蓄電残量を検出する検出部と、
前記検出部で検出した蓄電残量で前記印刷部が印刷完了可能な最終ページを判断し、相手機から前記最終ページの次のページの送信がある場合に、前記最終ページの正常受信完了応答を返さずに通信を中止する制御部と、
を備えた画像形成装置。
【請求項２】
前記制御部は、前記判断として、次に受信するページが前記最終ページの次のページに該当するか否かをページ毎に判断する
ことを特徴とする請求項１に記載の画像形成装置。
【請求項３】
受信完了したページを順次印刷すると共に前記判断に基づき通信の中止を行う第１のモードと、前記判断に基づき通信の中止を行わずに前記次のページ以降の印刷を停止させる第２のモードとを切り替え可能に有すると共に、
前記モードの切り替えタイミングの設定を受ける受付部を有し、
前記制御部は、前記受付部で設定を受けた切り替えタイミングに従って前記モードを切り替える
ことを特徴とする請求項１または２に記載の画像形成装置。
【発明の詳細な説明】
【技術分野】
【０００１】
本発明は画像形成装置に係り、詳細にはファクシミリ受信した画像を印刷するバッテリー駆動の画像形成装置に関する。
【背景技術】
【０００２】
ファクシミリ機や複合機においては、バッテリーで駆動し、無線通信回線でファクシミリ送受信を行う、小型で持ち運びが可能な可搬型（携帯型）の機器がある。このバッテリー駆動の機器では、バッテリーの残量が少なくなると、ファクシミリ受信時の印刷動作を正常に行えなくなる可能性がある。
【０００３】
そこで、たとえば特許文献１の技術では、ファクシミリ受信による印刷中にバッテリー（電池部）の電圧低下を検出すると、印刷を中止して電力消費を抑え、ファクシミリデータを最後まで受信してデータ蓄積手段に蓄積する。その後、オペレータがバッテリー交換や商用ＡＣ電源への接続を行うと、データ蓄積手段に蓄積されているファクシミリデータが印刷されるようにしている。
【０００４】
また、特許文献２の技術では、受信側機器はバッテリー（電源電池）の電圧値を測定して送信側機器に通知する。送信側機器は、通知された電圧値に基づいて受信側機器のバッテリー残量を算出し、規定値と比較して送信の可否を判定し、判定結果に応じて送信を継続または中止するようにしている。
【先行技術文献】
【特許文献】
【０００５】
【特許文献１】特開平６−３０３３４７号公報
【特許文献２】特開平５−１４６６７号公報
【発明の概要】
【発明が解決しようとする課題】
【０００６】
バッテリーで駆動し且つファクシミリデータの受信および記憶が完了したら印刷完了前であっても正常受信完了を返送するタイプのファクシミリ機や複合機では、ファクシミリデータの受信・記憶を終えて正常受信完了を送信側機器に返送したが、バッテリーの残量不足で、そのページの印刷を開始できないことが起こり得る。この場合、ユーザ（受信者）はそのページの受信があったことに気付かないおそれがある。一方、送信側機器では、受信側機器から正常受信完了が返送されたことで、送信結果として「正常終了」が表示される。送信者はその送信結果を確認し、送信した原稿の画像が受信側機器で正常に受信および印刷され、受信者（送信先の相手）の手元に届いているものと誤解するおそれがある。そのため、送信者と受信者の間で「送った」「届いていない」といった認識の相違によるトラブルが発生する可能性がある。
【０００７】
バッテリーの電圧低下を検出し、印刷を中止してファクシミリデータを蓄積する特許文献１の技術では、正常受信完了を返送したが印刷されていないページが発生するので、この場合も、上述したような送受信者間でのファクシミリの送受信に係る認識の相違（送信済み／未着）によるトラブルを招くおそれがある。
【０００８】
受信側機器がバッテリーの電圧値を送信側機器に通知し、送信側機器がこれに基づいて送信を継続または中止する特許文献２の技術は、受信側機器と送信側機器の双方がこの機能を備えている必要があり、汎用性に乏しい問題がある。
【０００９】
本発明は、上記の問題を解決しようとするものであり、ファクシミリデータをメモリに受信してもバッテリー残量不足で印刷できないページについて、特別な通信手順を設けずにエラーの発生を相手機に伝えることのできる画像形成装置を提供することを目的としている。
【課題を解決するための手段】
【００１０】
かかる目的を達成するための本発明の要旨とするところは、次の各項の発明に存する。
【００１１】
［１］バッテリー駆動される画像形成装置であって、
ページ単位のファクシミリデータを受信する受信部と、
前記受信部で受信したファクシミリデータを記憶する記憶部と、
前記記憶部に記憶されている受信完了したページのファクシミリデータを印刷する印刷部と、
前記バッテリーの蓄電残量を検出する検出部と、
前記検出部で検出した蓄電残量で前記印刷部が印刷完了可能な最終ページを判断し、相手機から前記最終ページの次のページの送信がある場合に、前記最終ページの正常受信完了応答を返さずに通信を中止する制御部と、
を備えた画像形成装置。
【００１２】
上記発明では、画像形成装置はバッテリーにより駆動して、相手機（送信側機器）から送信されてくるページ単位のファクシミリデータを受信・記憶し、記憶されている受信完了したページのファクシミリデータを（順次）印刷する（一時メモリ受信）。また、バッテリーの蓄電残量を検出し、その蓄電残量で印刷完了可能な最終ページを判断する。最終ページの次のページは、バッテリーの残量不足で印刷を開始できないもしくは印刷中に途中で停止してしまうページなので、この印刷を完了できないページ（印刷完了不可能なページ）の受信完了前に通信を中止する制御を行う。特に上記発明では、相手機から印刷完了可能な最終ページの次のページ（印刷完了不可能なページ）が送信されてくる場合には、その印刷完了可能な最終ページの正常受信完了応答を返さずに通信を中止する。これにより、相手機（送信側機器）は、印刷完了不可能なページの送信を開始する前に通信を中止することができ、その印刷できないページを送信してしまうことにより発生する無駄な通信コストが抑えられる。
【００１３】
印刷完了可能な最終ページの判断は、検出したバッテリーの蓄電残量で印刷完了可能な残りページ数の判断とも換言できる。この判断のタイミングは、着信前（電話を取る前）、受信開始時(着呼後、ファクシミリデータの受信開始前)、ファクシミリデータの受信中のいずれでもかまわない。
【００１４】
たとえば、着信前の任意の時点でのバッテリーの蓄電残量に基づいて印刷完了可能な最終ページ（印刷完了可能な残りページ数）を予め判断するようにしてもよいし、受信開始時にその時点でのバッテリーの蓄電残量に基づいて印刷完了可能な最終ページ（印刷完了可能な残りページ数）を判断するようにしてもよいし、受信中（受信・記憶したページの印刷毎など）に、バッテリーの蓄電残量に基づいて印刷完了可能な最終ページ（印刷完了可能な残りページ数）を判断するようにしてもよい。
【００１５】
印刷完了可能な最終ページと、次のページとは、複数ページをファクシミリ送信する１つの通信内にあってもよいし、次のページの通信が最終ページの通信の次の通信であってもよい。たとえば、当該通信での最後のページが「印刷完了可能な最終ページ」である場合は、次の通信の最初のページが「印刷完了可能な最終ページの次のページ」となる。
【００１６】
また、次のページの受信完了とは、たとえば、そのページの正常受信完了応答を送信側機器に返すことであり、次のページの受信完了前とは、そのページの正常受信完了応答を送信側機器に返す前のことを指す。この場合には、次のページ（印刷完了不可能なページ）の正常受信完了応答を返す前に通信を中止すればよい。たとえば、次のページの正常受信完了応答を返す前に回線を切断すればよい。
【００１７】
これにより、ファクシミリデータをメモリ（記憶部）に受信・記憶してもバッテリー残量不足で印刷できないページについて、特別な通信手順を設けずにエラーの発生を相手機に伝えることができる。
【００１８】
［２］前記制御部は、前記判断として、次に受信するページが前記最終ページの次のページに該当するか否かをページ毎に判断する
ことを特徴とする［１］に記載の画像形成装置。
【００１９】
上記発明では、次に受信するページが印刷完了可能な最終ページの次のページに該当するか否かをページ毎に判断する。これにより、受信開始時のみバッテリーの蓄電残量を検出して最終ページを判断するような場合に比べて、次に受信するページが印刷完了可能な最終ページの次のページ（印刷完了不可能なページ）であるか否かを的確に判断することができる。
【００２４】
［３］受信完了したページを順次印刷すると共に前記判断に基づき通信の中止を行う第１のモードと、前記判断に基づき通信の中止を行わずに前記次のページ以降の印刷を停止させる第２のモードとを切り替え可能に有すると共に、
前記モードの切り替えタイミングの設定を受ける受付部を有し、
前記制御部は、前記受付部で設定を受けた切り替えタイミングに従って前記モードを切り替える
ことを特徴とする［１］または［２］に記載の画像形成装置。
【００２５】
上記発明では、受信完了したページを順次印刷しつつバッテリー残量不足でファクシミリデータを印刷完了できないと判断した場合に、通信を中止するモード（第１のモード）と、通信は継続して、少なくとも印刷完了可能な最終ページの次のページ以降の印刷を停止させるモード（第２のモード）とを、設定で切り替えることができ、利便性が向上する。
【発明の効果】
【００２６】
本発明の画像形成装置によれば、ファクシミリデータをメモリに受信してもバッテリー残量不足で印刷できないページについて、特別な通信手順を設けずにエラーの発生を相手機に伝えることができる。したがって、送受信者間でのファクシミリの送受信に係る認識の相違（送信済み／未着）によるトラブルの発生を防止することができる。また、画像形成装置（受信側機器）と相手機（送信側機器）との間での特別な通信手順が不要であるため、汎用性が高められる。
【図面の簡単な説明】
【００２７】
【図１】本発明の第１の実施形態に係る画像形成装置としての複合機の構成を示すブロック図である。
【図２】複合機のバッテリー残量が十分ある場合のファクシミリの信号のやり取りを示すシーケンス図である。
【図３】複合機のバッテリー残量が少なく１ページも印刷できない場合のファクシミリの信号のやり取りを示すシーケンス図である。
【図４】複合機のバッテリー残量が少なく全ページを印刷できない場合のファクシミリの信号のやり取りを示すシーケンス図である。
【図５】複合機のバッテリー残量で丁度全ページを印刷できる場合のファクシミリの信号のやり取りを示すシーケンス図である。
【図６】本発明の第１の実施形態に係るファクシミリ受信動作を示す流れ図である。
【図７】本発明の第２の実施形態に係る複合機のバッテリー残量が少なく全ページ印刷できない場合のファクシミリの信号のやり取りを示すシーケンス図である。
【図８】本発明の第２の実施形態に係るファクシミリ受信動作を示す流れ図である。
【図９】本発明の第３の実施形態に係るファクシミリ受信夜間設定画面を示す図である。
【発明を実施するための形態】
【００２８】
以下、図面に基づき本発明の実施形態を説明する。
【００２９】
［第１の実施形態］
図１は、本発明の第１の実施形態に係る画像形成装置としての複合機１０の概略構成を示している。
【００３０】
複合機１０は、バッテリーで駆動する可搬型（携帯型）の機器として構成されており、原稿の画像を光学的に読み取ってその複製画像を記録紙に印刷して出力するコピー機能、読み取った原稿の画像データをファイルにして保存したり外部装置へ送信したりするスキャン機能、パーソナルコンピュータなどの外部装置から受信した印刷データに基づく画像や当該複合機１０に保存されている画像データに基づく画像を記録紙に印刷して出力するプリンタ機能、ファクシミリ機能などを備えている。
【００３１】
ファクシミリ機能における受信では、相手機（送信側機器）から送信されてくるページ単位の画像データ（ファクシミリデータ）を受信・記憶し、記憶されている受信完了したページの画像データを順次印刷する（一時メモリ受信）。また、バッテリーの蓄電残量を検出し、その蓄電残量で印刷完了可能な最終ページを判断して、その次のページの受信完了前に通信を中止する制御を行う。印刷完了可能な最終ページの次のページは、バッテリーの残量不足で印刷を開始できないもしくは印刷中に途中で停止してしまうページなので、この印刷を完了できないページ（印刷完了不可能なページ）の受信完了前に通信を中止するようにしている。
【００３２】
複合機１０は、制御部としてのＣＰＵ（Central Processing Unit）１１に、ＲＯＭ（Read Only Memory）１２と、ＲＡＭ（Random Access Memory）１３と、不揮発メモリ１４と、ハードディスク装置１５と、表示部１６と、操作部１７と、ファクシミリ通信部１８と、ネットワーク通信部１９と、スキャナ部２０と、画像処理部２１と、プリンタ部２２と、蓄電残量検出部２３と、電力供給部２４とを接続して構成される。また、駆動電力の供給源となるバッテリー２５を備えている
【００３３】
ＣＰＵ１１は、ＲＯＭ１２に格納されているプログラムに従って複合機１０の動作を制御する。ＲＯＭ１２には、ＣＰＵ１１によって実行される各種プログラムや各種の固定データが記憶されている。ＲＡＭ１３は、ＣＰＵ１１がプログラムを実行する際に各種データを一時的に格納するワークメモリとして使用されるほか、画像データを一時的に保存するための画像メモリなどにも使用される。不揮発メモリ１４は、電源がオフにされても記憶が保持される書き換え可能なメモリである。不揮発メモリ１４には、装置固有の情報や各種の設定情報などが記憶される。ハードディスク装置１５は、各種の保存データを格納するほか、入力された各種の画像データなども保存する。
【００３４】
表示部１６は、液晶ディスプレイなどで構成され、操作画面や設定画面などの各種の画面を表示する。操作部１７は、スタートボタン、ストップボタン、テンキーなどの各種のボタン類と、液晶ディスプレイの表面に設けられて押下された座標位置を検出するタッチパネルなどで構成され、ユーザが複合機１０に対して行う各種の操作を受け付ける。
【００３５】
ファクシミリ通信部１８は、無線電話や無線ＬＡＮ（Local Area Network）などの無線通信回線を通じてファクシミリ通信（送受信）を行う。ネットワーク通信部１９は、外部装置などと無線ＬＡＮや有線ＬＡＮなどの通信回線（ネットワーク）を通じて通信を行う。
【００３６】
スキャナ部２０は、原稿の画像を光学的に読み取って画像データを取得する。スキャナ部２０は、たとえば、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学系と、ラインイメージセンサの出力するアナログ画像信号をデジタルの画像データに変換する変換部などを備えて構成される。
【００３７】
画像処理部２１は、画像データに対して、画像補正、回転、拡大／縮小、圧縮／伸張など各種の画像処理を施す。
【００３８】
プリンタ部２２は、画像データに基づく画像を電子写真プロセスによって記録紙上に形成して出力する。プリンタ部２２は、たとえば、記録紙の搬送装置と、感光体ドラムと、帯電装置と、入力される画像データに応じて点灯制御されるＬＤ（Laser Diode）と、ＬＤから射出されたレーザ光を感光体ドラム上で走査させる走査ユニットと、現像装置と、転写分離装置と、クリーニング装置と、定着装置とを有する、いわゆるレーザープリンタとして構成されている。レーザ光に代えてＬＥＤ（Light Emitting Diode）で感光体ドラムを照射するＬＥＤプリンタのほか他の方式のプリンタであってもかまわない。
【００３９】
蓄電残量検出部２３は、バッテリー２５の蓄電残量を検出する。たとえば、バッテリー２５の電圧を測定し、その測定電圧値から換算して蓄電残量を検出する。電力供給部２４は、バッテリー２５の電源電力を複合機１０の各部に供給する。バッテリー２５は、非充電式または充電式で着脱可能（交換可能）な各種のバッテリーを用いることができる。たとえば、充電式の外付け大容量バッテリーなどで構成してもよい。
【００４０】
次に、複合機１０の動作について説明する。
【００４１】
図２〜図５は、複合機１０がファクシミリ受信を行うときの送信側機器（相手機）との信号のやり取りを示すシーケンス図である。図中では、送信側機器を「送信側」、受信側機器となる複合機１０を「受信側」と表記している。本実施形態では、ITU-T(International Telecommunication Union Telecommunication Standardization Sector)勧告に準拠したＧ３ファクシミリの通信手順で信号のやり取りを行う。
【００４２】
図２は、複合機１０に搭載されているバッテリー２５の蓄電残量が十分あり、全ページ印刷できる場合を示している（正常時）。ここでは、送信原稿のページ数をＮ（全Ｎページ）としている。以下に各信号の概要を示す。
【００４３】
ＣＮＧ（Calling Tone）：呼び出し
ＣＥＤ（Called terminal identification）：応答
ＤＩＳ（Digital Identification Signal）：受信機の能力表示
ＤＣＳ（Digital Command Signal）：通信モード決定
ＴＣＦ（Training Check）：原稿送信前のテスト信号
ＣＦＲ（Confirmation To Receive）：ＴＣＦに対する肯定応答信号
ＰＩＸ（Pixel Signal）：画信号（画像データ（ファクシミリデータ））
ＭＰＳ（MultiPage Signal）：ページ受信品質問い合わせ（次ページ有）
ＭＣＦ（Message Confirmation）：画信号が正しく受信できたことを示す正常受信信号（正常受信完了応答）
ＥＯＰ（End Of Procedure）：ページ受信品質問い合わせ（次ページ無）
ＤＣＮ（Disconnect）：通信の終了
【００４４】
本例では、送信側機器は送信先である複合機１０（受信側機器）に対し、全Ｎページの送信原稿の画像データ（画信号）を１ページずつ送信する。複合機１０は、バッテリー２５の蓄電残量が十分ある場合には、送信側機器から１ページずつ送られてきた画像データを受信してＲＡＭ１３に記憶し、受信および記憶を完了したページの画像データを順次印刷して、全Ｎページの受信画像を印刷出力する。このように、複合機１０はバッテリー残量が十分ある場合には、全Ｎページの送信原稿の画像データをすべて受信して印刷を完了させることができる。
【００４５】
図３は、複合機１０に搭載されているバッテリー２５の蓄電残量が少なく、１ページも印刷できない場合を示している。
【００４６】
複合機１０は、バッテリー２５の蓄電残量が少なく、１ページも印刷できないと判断した場合には、その蓄電残量で画像データの受信および記憶が可能であっても、ファクシミリの通信を開始しない。具体的には、複合機１０は、送信側機器からのＣＮＧ（呼び出し）に対してＣＥＤ（応答）を返さない。なお、はじめから着呼しない（電話を取らない）ようにしてもよい。
【００４７】
本例の場合は、送信側機器は、通信コスト（電話代）が掛からずに、送信相手（複合機１０）の状態が正常ではないと判断する。
【００４８】
図４は、複合機１０に搭載されているバッテリー２５の蓄電残量が少なく、全ページ印刷できない場合を示している。
【００４９】
概要は、複合機１０はバッテリー２５の蓄電残量が少ない状態で、印刷完了可能な最終ページの次のページ（印刷可能枚数よりも多いページ数）が送信されてくることが分かった場合、通信を正常に終了させないことで、送信側機器に当該複合機１０（受信側機器）が正常でないことを伝える。ここでは、印刷できないページが送信されてくることが分かった場合（印刷完了可能な最終ページの受信後にＭＰＳ（次ページ有）を受けた場合）、印刷できる最終ページのＭＣＦ（正常受信信号）を返さないようにする。但し、印刷できる最終ページのＭＣＦは返さないが印刷は行う。
【００５０】
図４では、全３ページの送信原稿に対して２ページ分の印刷が可能な場合を例示している。
【００５１】
複合機１０は、送信側機器から送られてきた１ページ目の画像データを受信してＲＡＭ１３に記憶し、受信および記憶が完了すると、１ページ目の画像データの印刷を開始する。送信側機器から、１ページ目の画像データの送信後にＭＰＳ（次ページ有）が送られてくると、複合機１０は、バッテリー２５の蓄電残量で２ページ目までの印刷を完了できるか否かを判断し、印刷完了可能と判断した場合には、ＭＣＦを送信側機器に返す。送信側機器は、ＭＣＦが返されると２ページ目の画像データを送信する。
【００５２】
複合機１０は、送信側機器から送られてきた２ページ目の画像データを受信してＲＡＭ１３に記憶し、受信および記憶が完了すると、２ページ目の画像データの印刷を開始する。送信側機器から、２ページ目の画像データの送信後にＭＰＳ（次ページ有）が送られてくると、複合機１０は、バッテリー２５の蓄電残量で３ページ目までの印刷を完了できるか否かを判断し、印刷完了不可能と判断した場合には、ＭＣＦを送信側機器に返さない。送信側機器は、所定時間が経過してもＭＣＦが返ってこないため、エラーが発生したと判断する。
【００５３】
このように、複合機１０は、印刷できないページ（３ページ目）が送信されてくることが分かった場合、印刷できる最終ページ（２ページ目）のＭＣＦ（正常受信信号）を返さないことで通信を中止し、印刷できない次のページ（３ページ目）が送信されてこないようにしている。送信側機器は、ＭＣＦが返ってこなかったページ（２ページ目）は正常に送信されておらず、ＭＣＦが返ってきたページ（１ページ目）までが正常に送信完了したものと判断する。
【００５４】
本例の場合、送信側機器が判断した正常送信完了ページ＝１ページ目と、受信側機器による実際の正常受信完了ページ（正常印刷完了ページ）＝１ページ目および２ページ目とに差異が出てしまうが、印刷できない無駄なページが送信されないため、送信側機器の通信コストが抑えられる。
【００５５】
図５は、複合機１０に搭載されているバッテリー２５の蓄電残量で丁度全ページ印刷できる場合を示している。ここでは、全３ページの送信原稿に対して丁度３ページ分の印刷が可能な場合を例示している。
【００５６】
図に示すように、複合機１０は、送信側機器からページ単位で送られてきた１〜３ページの画像データの受信・記憶・印刷を順次行う。そして、バッテリー２５の蓄電残量で４ページ目までの印刷（次のページの印刷）を完了できるか否かを判断し、印刷完了不可能と判断しても、送信側機器からＥＯＰ（次ページ無）が送られてきた場合には、ＭＣＦを送信側機器に返し、通信を正常に終了させる。送信側機器は、ＥＯＰの送信後にＭＣＦが返ってきたので、全３ページが正常に送信完了したと判断する。
【００５７】
図６は、複合機１０によるファクシミリ受信動作を示す流れ図である。図６に示す動作により、図２〜図５で説明した各々のケースが行われる。なお、複合機１０は電源オン状態（省電力モードなども含む）においてバッテリー２５の蓄電残量により動作可能な間は、本動作（Ｓｔａｒｔ〜Ｅｎｄ）を継続して行う。
【００５８】
ＣＰＵ１１は、ＣＮＧを受信するか否かを監視し（ステップＳ１０１；Ｎｏ）、ＣＮＧを受信すると（ステップＳ１０１；Ｙｅｓ）、蓄電残量検出部２３が検出したバッテリー２５の蓄電残量を取得する（ステップＳ１０２）。取得した蓄電残量では１ページ以上印刷できないと判断した場合は（ステップＳ１０２；Ｎｏ）、ＣＥＤ（応答）を返さない（ステップＳ１１１（受信中止処理）〜Ｅｎｄ）。
【００５９】
取得した蓄電残量で１ページ以上印刷できると判断した場合は（ステップＳ１０２；Ｙｅｓ）、１ページ目の画像データを受信するまでの処理を行う（ステップＳ１０３）。この処理では、図２などに示したＣＥＤ〜ＣＦＲまでのやり取りを行う。
【００６０】
ＣＰＵ１１は、１ページ分の画像データ（最初は１ページ目の画像データ）を受信しつつ（ステップＳ１０４）、受信した画像データをＲＡＭ１３に記憶し、受信および記憶を完了すると、その画像データの印刷指示を行う（ステップＳ１０５）。この印刷指示により、プリンタ部２２は、ＲＡＭ１３に記憶されている１ページ分の画像データ（最初は１ページ目の画像データ）の印刷を開始する。
【００６１】
ＣＰＵ１１は、ページ受信品質問い合わせを受信すると（ステップＳ１０６）、ＲＡＭ１３に記憶されている印刷中および未印刷の全てのページ（最初は１ページ目のみ）の印刷を完了したときのバッテリー２５の蓄電残量で次のページを印刷完了できるか否かを判断する（ステップＳ１０７）。
【００６２】
たとえば、現在の蓄電残量で印刷完了可能なページ数を求め、該ページ数が、ＲＡＭ１３に記憶されている印刷中および未印刷の全てのページの合計ページ数＋１以上の場合は、次のページを印刷完了可能と判断する。現在の蓄電残量で印刷完了可能なページ数がそれに満たない場合は、次のページを印刷完了不可能と判断する。なお、ステップＳ１０２で調べた蓄電残量にて印刷完了可能なページ数（最大ページ数）を判断しておき、ページ毎に、その最大ページ数と、受信した合計ページ数とを比較して印刷完了可能な最終ページを判断するようにしてもよい。
【００６３】
次のページを印刷完了できると判断した場合には（ステップＳ１０７；Ｙｅｓ）、ＭＣＦを送信する（ステップＳ１０８）。
【００６４】
全ページを受信するまでステップＳ１０４〜ステップＳ１０８を繰り返し、全ページを受信すると、通信終了信号（ＤＣＮ）を受信し（ステップＳ１０９）、通信を正常に終了する（Ｅｎｄ）。
【００６５】
また、次のページを印刷完了できないと判断した場合に（ステップＳ１０７；Ｎｏ）、次のページが無い（ステップＳ１０６でＥＯＰを受信した）場合には（ステップＳ１１０；Ｎｏ）、ステップＳ１０８へ移行する。この場合は、全ページを受信完了しており、通信終了信号（ＤＣＮ）を受信して（ステップＳ１０９）、通信を正常に終了する（Ｅｎｄ）。また、次のページが有る（ステップＳ１０６でＭＰＳを受信した）場合には（ステップＳ１１０；Ｙｅｓ）、ＭＣＦを送信しない（ステップＳ１１１（受信中止処理）〜Ｅｎｄ）。この場合は、送信側機器は、ＭＣＦが返信されてこないため、エラーが発生したと判断する。
【００６６】
このように、本実施形態に係る複合機１０は、バッテリー２５により駆動して、相手機（送信側機器）からファクシミリで送信されてくるページ単位の画像データ（ファクシミリデータ）を受信・記憶し、記憶されている受信完了したページの画像データを順次印刷する。また、バッテリー２５の蓄電残量を検出し、その蓄電残量で印刷完了可能な最終ページを判断する。次のページが有る場合には、その最終ページの正常受信信号（ＭＣＦ）を返さないことで通信を中止する。
【００６７】
これにより、ファクシミリで送信されてくるページ単位の画像データをメモリに受信・記憶してもバッテリー残量不足で印刷できないページについて、特別な通信手順を設けずにエラーの発生を相手機に伝えることができる。送信者は、何らかのエラーが発生していることに気付き、電話や電子メールなど他の連絡手段を用いて、エラーが発生した旨を受信者に伝えるなどの対応を取ることができる。
【００６８】
したがって、送受信者間でのファクシミリの送受信に係る認識の相違（送信済み／未着）によるトラブルの発生を防止することができる。また、複合機１０（受信側機器）と相手機（送信側機器）との間での特別な通信手順が不要であるため、汎用性が高められる。
【００６９】
また本実施形態では、次に受信するページが上記の印刷完了可能な最終ページの次のページに該当するか否かをページ毎に判断する。これにより、受信開始時のみバッテリー２５の蓄電残量を検出して最終ページを判断するような場合に比べて、次に受信するページが印刷完了可能な最終ページの次のページ（印刷完了不可能なページ）であるか否かを的確に判断することができる。またこの場合は、印刷完了可能な最終ページの正常受信信号（ＭＣＦ）を返さずに通信を中止することで、相手機は、印刷完了不可能なページの送信を開始する前に通信を中止することができ、その印刷できないページを送信してしまうことにより発生する無駄な通信コストが抑えられる。
【００７０】
［第２の実施形態］
第２の実施形態は、第１の実施形態における図４で説明したバッテリー残量不足で全ページ印刷できない場合の変形例である。図７にその変形例を示す。図７も図４と同様に、全３ページの送信原稿に対して２ページ分の印刷が可能な場合を例示している。
【００７１】
ここでは、印刷できないページが送信されてくることが分かった場合（印刷完了可能な最終ページの受信後にＭＰＳ（次ページ有）を受けた場合）、印刷できる最終ページのＭＣＦ（正常受信信号）を返し、印刷できないページのＭＣＦを返さないようにする。
【００７２】
詳細には、図７に示す例の場合、複合機１０は、送信側機器から２ページ目のファクシミリデータの受信後にＭＰＳ（次ページ有）が送られてくると、バッテリー２５の蓄電残量で３ページ目までの印刷を完了できるか否かを判断し、印刷完了不可能と判断しても、ＭＣＦを送信側機器に返す。そして、送信側機器から３ページ目のファクシミリデータの受信後にＥＯＰ（次ページ無）が送られてくると、ＭＣＦを送信側機器に返さない。送信側機器は、所定時間が経過してもＭＣＦが返ってこないため、エラーが発生したと判断する。
【００７３】
図８は、第２の実施形態に係るファクシミリ受信動作を示す流れ図である。図８が第１の実施形態で説明した図６と異なるのは、ステップＳ１１０：ＹｅｓとステップＳ１１１の間に、ＭＣＦを送信するステップＳ２０１と、画像データなどを受信するステップＳ２０２とが追加されている点である。他のステップは、図６と同じである。この図８に示す動作により、図７で説明したケースが行われる。
【００７４】
追加点の詳細は、ＣＰＵ１１は、バッテリー残量不足で次のページを印刷完了できないと判断し（ステップＳ１０７；Ｎｏ）、次のページが有る場合には（ステップＳ１１０；Ｙｅｓ）、ＭＣＦを送信する（ステップＳ２０１）。これにより、送信側機器から次のページの画像データとページ受信品質問い合わせが送信されてくる。ＣＰＵ１１は、それらを受信するが（ステップＳ２０２）、ＭＣＦを送信しない（ステップＳ１１１（受信中止処理）〜Ｅｎｄ）。これにより、送信側機器はＭＣＦが返信されてこないため、エラーが発生したと判断する。
【００７５】
なお、送信側機器から送られてくる次のページの画像データやページ受信品質問い合わせなどの受信を行わず、ステップＳ２０１でＭＣＦを送信した後に直ちに通信を中止（回線切断）するようにしてもよい。
【００７６】
このように、本実施形態では、印刷完了可能な最終ページの次のページの正常受信信号（ＭＣＦ）を返さずに通信を中止する。送信側機器は正常受信信号が返されないことで、そのページにエラーが発生したと判断する。これにより、実際に印刷できないページ以降が異常である（正常に送信できていない）ことを送信者に正しく伝えることができる。送信者は、別途そのページ以降を再送すればよいことを認識できる。
【００７７】
［第３の実施形態］
第３の実施形態では、ファクシミリ受信のモード設定について説明する。夜間や休日など、複合機１０の近くにユーザがいない場合には、ファクシミリ受信による印刷をリアルタイムで行う必要性は低い。そこで本実施形態では、複合機１０が時間帯の指定を受け、その時間帯はファクシミリ受信時にバッテリー残量不足で印刷できない状態でも、ファクシミリデータの受信および保存を行い、別途印刷できる機能を備えた場合について説明する。
【００７８】
本実施形態に係る複合機１０は、ファクシミリ受信に係る通常モード（第１のモード）と夜間モード（第２のモード）とを切り替え可能に有する。
【００７９】
通常モードは、第１または第２の実施形態で説明した、ファクシミリ受信時にバッテリー残量不足で印刷できない場合には通信を中止する動作を行うモードである。夜間モードは、時間帯の指定を受け、その時間帯はファクシミリ受信時にバッテリー残量不足で印刷できない状態でも通信を中止せず、ファクシミリデータの受信および保存を行うモードである。この夜間モードでは、指定の時間帯に実行しているファクシミリ受信および印刷中に、バッテリー残量不足で印刷できない状態になった場合には、印刷完了可能な最終ページの次のページ以降の印刷を停止させ、通信を中止せず、ファクシミリデータの受信および保存を行う動作に自動で切り替わる。
【００８０】
図９は、複合機１０の操作パネル３０における表示部１６に、上記の夜間モードの設定を行うためのファクシミリ受信夜間モード設定画面５０が表示されている状態を示している。ユーザは、複合機１０に対し所定の操作を行って本画面を表示させ、本画面を通じて、夜間モードの時間設定（＊＊：＊＊〜＊＊：＊＊）と、夜間モードの有効／無効設定（プリント不可時受信設定のオン／オフ）とを行うことができる。
【００８１】
複合機１０は、夜間モードが有効に設定されると、設定された時間帯は、ファクシミリ受信時にバッテリー残量不足で印刷できない状態でも通信を中止せず、ファクシミリデータを受信し不揮発メモリ１４への保存を行う。ユーザは、複合機１０のバッテリー２５を充電もしくは交換するなどし、不揮発メモリ１４に保存されているファクシミリデータの印刷を複合機１０に実行させることができる。
【００８２】
このように、本実施形態ではファクシミリ受信に係る通常モードと夜間モードとを設定で切り替えることができ、利便性が向上する。
【００８３】
以上、本発明の実施形態を図面によって説明してきたが、具体的な構成は実施形態に示したものに限られるものではなく、本発明の要旨を逸脱しない範囲における変更や追加があっても本発明に含まれる。
【００８４】
たとえば、バッテリー２５の蓄電残量で印刷完了可能な最終ページを判断するタイミングは、ファクシミリデータ（画像データ）の受信開始時や受信中に限らず、着信前（電話を取る前）でもかまわない。たとえば、着信前の任意の時点でのバッテリー２５の蓄電残量に基づいて印刷完了可能な最終ページを予め判断するようにしてもよい。
【００８５】
第３の実施形態で説明したファクシミリ受信のモード設定では、時間設定の他に、曜日や日付など、日にち単位で設定を行うようにしてもよい。
【００８６】
また、本発明に係る画像形成装置は、実施形態で説明した複合機に限らず、ファクシミリ機なども対象にすることができる。
【符号の説明】
【００８７】
１０…複合機
１１…ＣＰＵ
１２…ＲＯＭ
１３…ＲＡＭ
１４…不揮発メモリ
１５…ハードディスク装置
１６…表示部
１７…操作部
１８…ファクシミリ通信部
１９…ネットワーク通信部
２０…スキャナ部
２１…画像処理部
２２…プリンタ部
２３…蓄電残量検出部
２４…電力供給部
２５…バッテリー
３０…操作パネル
５０…ファクシミリ受信夜間モード設定画面
【図１】
0005488232.tif 000002
【図２】
0005488232.tif 000003
【図３】
0005488232.tif 000004
【図４】
0005488232.tif 000005
【図５】
0005488232.tif 000006
【図６】
0005488232.tif 000007
【図７】
0005488232.tif 000008
【図８】
0005488232.tif 000009
【図９】
0005488232.tif 000010